【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
洗濯機の外殻を構成するハウジングと、
前記ハウジング内に設けられ、水を溜め衣類を収容して洗濯を行うための洗濯槽と、
前記ハウジング内に設けられ、洗濯槽で使用された後に洗濯槽から排出される水を溜めるためのタンクと、
前記タンクに溜められた水を浄化するための浄化手段と、
を有する洗濯機であって、
前記浄化手段は、放電によってオゾンを発生するためのオゾン発生装置を含み、当該オゾン発生装置には、
空気流入口、オゾン流出口、ならびに、空気流入口およびオゾン流出口間に形成された処理流路、を有するケーシングと、
前記処理流路内に、空気の流れ方向に沿って直列に配置され、処理流路を流れる空気に対して沿面放電を行ってオゾンを発生させるための少なくとも２枚のオゾン発生用電極と、
が備えられていることを特徴とする洗濯機。
【請求項２】
前記処理流路は、前半部が空気流入口から入る空気を第１方向へ導き、途中でＵターンさせて、後半部が空気を第１方向と逆方向へ導いてオゾン流出口から流出させる折り返し流路を含むことを特徴とする、請求項１記載の洗濯機。
【請求項３】
前記空気流入口とオゾン流出口とは、近接するように形成されていることを特徴とする、請求項２記載の洗濯機。
【請求項４】
前記オゾン流出口は２つ設けられていることを特徴とする、請求項１〜３のいずれかに記載の洗濯機。
【請求項５】
前記オゾン発生装置は、前記ケーシングを上部に保持するためのフレームと、
フレーム内に配置され、前記オゾン発生用電極への通電制御を行うための電気回路基板と、
フレーム内に臨み、電気回路基板とオゾン発生用電極とを接続するための接続部とを有し、
前記電気回路基板および接続部は、前記フレーム内に難燃性の絶縁樹脂が充填されることによって密封されていることを特徴とする、請求項１〜４のいずれかに記載の洗濯機。
【請求項６】
前記ケーシングは、フレームの上面によって形成されたケースの片側を形成するケースベースと、
ケースベースに対して取り外し可能に取り付けられ、ケースの残りの片側を形成するケースキャップとを含むことを特徴とする、請求項５記載の洗濯機。
【請求項７】
浄化、除菌、消臭等に用いられるオゾン発生装置であって、
空気流入口、オゾン流出口、ならびに空気流入口およびオゾン流出口間に形成された処理流路を有するケーシングと、
前記処理流路内に、空気の流れ方向に沿って直列に配置され、処理流路を流れる空気に対して沿面放電を行ってオゾンを発生させるための少なくとも２枚のオゾン発生用電極と、
前記ケーシングを上部に保持するためのフレームと、
前記フレーム内に配置され、前記オゾン発生用電極への通電制御を行うための電気回路基板と、
前記フレーム内に臨み、前記電気回路基板とオゾン発生用電極とを接続するための接続部とを有し、
前記電気回路基板および接続部は、前記フレーム内に難燃性の絶縁樹脂が充填されることによって密封されていることを特徴とする、オゾン発生装置。
【請求項８】
前記処理流路とオゾン流出口との間に挿入され、処理流路からオゾン流出口へ空気が流れるのを許容するが、オゾン流出口から処理流路へ水が進入するのを防止するための逆止弁を有することを特徴とする、請求項７記載のオゾン発生装置。
【請求項９】
前記処理流路は、前半部が空気流入口から入る空気を第１方向へ導き、途中でＵターンさせて、後半部が空気を第１方向と逆方向へ導いてオゾン流出口から流出させる折り返し流路を含むことを特徴とする、請求項７または８記載のオゾン発生装置。
【請求項１０】
洗濯機の外殻を構成するハウジングと、
前記ハウジング内に設けられ、水を溜め衣類を収容して洗濯を行うための洗濯槽と、
前記洗濯槽で使用された水を浄化するための浄化手段と、
を有する洗濯機であって、
前記浄化手段は、放電によってオゾンを発生するためのオゾン発生装置を含み、当該オゾン発生装置には、
空気流入口、オゾン流出口、ならびに、空気流入口およびオゾン流出口間に形成された処理流路、を有するケーシングと、
前記処理流路内に配置され、オゾンを発生させるためのオゾン発生用電極と、
前記ケーシングを上部に保持するためのフレームと、
前記フレーム内に配置され、前記オゾン発生用電極への通電を行うための電気回路基板と、を有し、
前記電気回路基板は、前記フレーム内に難燃性の絶縁樹脂が充填されることによって密封されていることを特徴とする洗濯機。
【請求項１１】
浄化、除菌、消臭等に用いられるオゾン発生装置であって、
空気流入口、オゾン流出口、ならびに空気流入口およびオゾン流出口間に形成された処理流路を有するケーシングと、
前記処理流路内に配置され、オゾンを発生させるためのオゾン発生用電極と、
前記ケーシングを上部に保持するためのフレームと、
前記フレーム内に配置され、前記オゾン発生用電極への通電を行うための電気回路基板と、を有し、
前記電気回路基板は、前記フレーム内に難燃性の絶縁樹脂が充填されることによって密封されていることを特徴とする、オゾン発生装置。
【手続補正２】
【補正対象書類名】明細書
【補正対象項目名】００１０
【補正方法】変更
【補正の内容】
【００１０】
請求項８記載の発明は、前記処理流路とオゾン流出口との間に挿入され、処理流路からオゾン流出口へ空気が流れるのを許容するが、オゾン流出口から処理流路へ水が進入するのを防止するための逆止弁を有することを特徴とする、請求項７記載のオゾン発生装置である。
請求項９記載の発明は、前記処理流路は、前半部が空気流入口から入る空気を第１方向へ導き、途中でＵターンさせて、後半部が空気を第１方向と逆方向へ導いてオゾン流出口から流出させる折り返し流路を含むことを特徴とする、請求項７または８記載のオゾン発生装置である。
請求項１０記載の発明は、洗濯機の外殻を構成するハウジングと、前記ハウジング内に設けられ、水を溜め衣類を収容して洗濯を行うための洗濯槽と、前記洗濯槽で使用された水を浄化するための浄化手段と、を有する洗濯機であって、前記浄化手段は、放電によってオゾンを発生するためのオゾン発生装置を含み、当該オゾン発生装置には、空気流入口、オゾン流出口、ならびに、空気流入口およびオゾン流出口間に形成された処理流路、を有するケーシングと、前記処理流路内に配置され、オゾンを発生させるためのオゾン発生用電極と、前記ケーシングを上部に保持するためのフレームと、前記フレーム内に配置され、前記オゾン発生用電極への通電を行うための電気回路基板と、を有し、前記電気回路基板は、前記フレーム内に難燃性の絶縁樹脂が充填されることによって密封されていることを特徴とする洗濯機である。
請求項１１記載の発明は、浄化、除菌、消臭等に用いられるオゾン発生装置であって、
空気流入口、オゾン流出口、ならびに空気流入口およびオゾン流出口間に形成された処理流路を有するケーシングと、前記処理流路内に配置され、オゾンを発生させるためのオゾン発生用電極と、前記ケーシングを上部に保持するためのフレームと、前記フレーム内に配置され、前記オゾン発生用電極への通電を行うための電気回路基板と、を有し、前記電気回路基板は、前記フレーム内に難燃性の絶縁樹脂が充填されることによって密封されていることを特徴とする、オゾン発生装置である。
【手続補正３】
【補正対象書類名】明細書
【補正対象項目名】００１８
【補正方法】変更
【補正の内容】
【００１８】
請求項８記載のように、処理流路とオゾン流出口との間に逆止弁を挿入することによって、処理流路内にオゾン供給経路を通じて逆流する水が流れ込むのを防止でき、信頼性の高いオゾン発生装置とすることができる。
請求項９記載の発明では、請求項２記載の発明と同様、処理流路を長くしなくても、処理流路内に良好に２枚のオゾン発生電極を配置することができ、コンパクトなオゾン発生装置を実現することができる。
請求項１０および１１記載の発明では、オゾン発生用のケーシングを支えるフレーム内には、オゾン発生用電極の通電を行う電気回路基板が収められ、この電気回路基板は、難燃性の絶縁樹脂により密封されている。従って、水濡れに対する性能および絶縁性能の双
方が向上され、しかも、全体がコンパクトなオゾン発生装置が実現されている。